(57)【特許請求の範囲】
【請求項１】
各画素あるいはライン毎に独立した信号が与えられる映像表示部と、この映像表示部の独立した各画素あるいはライン毎に並列に信号を伝送する信号伝送部とを備え、上記信号伝送部は、等間隔で並列に並べられた複数本の伝送ラインを複数の伝送ブロック毎にまとめられ、伝送ブロックが異なりかつ隣接する伝送ラインの間にダミーとなる伝送ラインが上記隣接する伝送ラインを含むいずれか一方の伝送ブロックに設けられ、上記隣接する伝送ラインを含む伝送ブロックの他方の伝送ブロック内で上記ダミーの伝送ラインと最も近い伝送ラインを、当該信号伝送部の外部で上記ダミーの伝送ラインと電気的に接続されていることを特徴とする映像表示装置。
【発明の詳細な説明】
【０００１】
【発明の属する技術分野】
本発明は、液晶ディスプレイやプラズマディスプレイなどのように、複数の画素あるいはラインに相当する部分に個別に信号を伝送する必要のある映像表示装置に関する。
【０００２】
【従来の技術】
液晶ディスプレイやプラズマディスプレイなどのように、複数の画素あるいはラインに相当する部分に個別に信号を伝送する必要のある映像表示装置では、図３に示すように、これらの信号などの伝送部として、複数の信号ラインを１つにまとめた伝送部品がよく使用されている。
【０００３】
すなわち、図３に示す映像表示装置は、液晶などのディスプレイパネルからなる映像表示部１１と、水平方向に信号を発生させる水平信号発生部１２と、垂直方向に信号を発生させる垂直信号発生部１３と、上記水平信号発生部１２が発生する信号を上記映像表示部１１に伝送するための信号伝送部１４と、上記垂直信号発生器１３が発生する信号を上記映像表示部１１に伝送するための信号伝送部１５とからなる。上記各信号伝送部１４，１５は、上記映像表示部１１の各画素あるいはラインに伝送する信号を送る複数本の伝送ラインを等間隔で並列に束ねた伝送部品からなり、例えばフレキシブルプリント基板で構成される。
【０００４】
このような構成の映像表示装置において、画像の高精細度化を図るために、画像の数を増やし、画そのピッチを細かくする場合、上記信号伝送部１４，１５の伝送ラインもピッチ間隔を狭くし、なおかつ伝送ラインの数を多くとる必要がある。この場合、上記信号伝送部１４，１５を１枚のプリント基板で構成すると、伝送ラインの数の増大と、ピッチ間隔の減少に対応するために、ピッチ間隔の精度をあげる必要がある。このことは、この信号伝送部１４，１５に用いている伝送部品の製造上の歩留まりなどを悪化させる虞があり、結果的には伝送部品のコストをあげる原因となる。
【０００５】
そこで、この信号伝送部１４，１５に用いている部品の製造上の歩留まりをあげる目的で、図４に示すように、上記信号伝送部１４，１５をそれぞれ複数の伝送ブロック１４Ａ，１４Ｂ，１５Ａ，１５Ｂ，１５Ｃに分けることが行われている。
【０００６】
【発明が解決しようとする課題】
しかしながら、複数本の伝送ラインを並列に束ねた伝送路を複数の伝送ブロックに分けた場合、各伝送ブロック内の隣接する伝送ライン間での容量値は同一になるが、互いに隣接し、かつ、伝送ブロックが異なる伝送ライン間での容量値は、同一伝送ブロック内の隣接する伝送ライン間での容量値と異なってしまう。このことは、伝送ブロックが切り替わる前後の伝送ラインを流れる信号の大きさや位相に影響を与え、結果として画像に縦方向あるいは横方向のノイズとなって現れる。
【０００７】
そこで、本発明の目的は、このような従来の問題点を解消して、画質の向上を図った映像装置を提供することにある。
【０００８】
【課題を解決するための手段】
本発明に係る映像装置は、各画素あるいはライン毎に独立した信号が与えられる映像表示部と、この映像表示部の独立した各画素あるいはライン毎に並列に信号を伝送する信号伝送部とを備え、上記信号伝送部は、等間隔で並列に並べられた複数本の伝送ラインを複数の伝送ブロック毎にまとめられ、伝送ブロックが異なりかつ隣接する伝送ラインの間にダミーとなる伝送ラインが上記隣接する伝送ラインを含むいずれか一方の伝送ブロックに設けられ、上記隣接する伝送ラインを含む伝送ブロックの他方の伝送ブロック内で上記ダミーの伝送ラインと最も近い伝送ラインを、当該伝送部の外部で上記ダミーの伝送ラインと電気的に接続されていることを特徴とする。
【０００９】
【発明の実施の形態】
以下、本発明の実施の形態について図面を参照しながら説明する。
【００１０】
本発明に係る映像表示装置は、例えば図１に示すように構成される。この図１に示した映像表示装置は、液晶などのディスプレイパネルからなる映像表示部１と、水平信号発生器２が発生する水平駆動用の信号を上記映像表示部１に伝送するための信号伝送部４と、垂直信号発生器３が発生する垂直駆動用の信号を上記映像表示部１に伝送するための信号伝送部５とからなる。上記各信号伝送部４，５は、上記映像表示部１の各画素あるいはラインに伝送する信号を送る複数本の伝送ラインを等間隔で並列に束ねたもので、例えばフレキシブルプリント基板で構成される。そして、上記各信号伝送部４，５は、それぞれ複数個の伝送ブロックに分割され、各ブロックの境目で、一方の伝送ブロックにある伝送ラインと他方の伝送ブロックに設けられているダミーの伝送ラインが、当該信号伝送部４，５の外部で電気的に接続されている。具体的には、上記信号伝送部４の各ブロックの境目で、一方の伝送ブロックにある伝送ラインと他方の伝送ブロックに設けられているダミーの伝送ラインが、上記水平信号発生器２の基板上で電気的に接続されている。また、上記信号伝送部５の各ブロックの境目で、一方の伝送ブロックにある伝送ラインと他方の伝送ブロックに設けられているダミーの伝送ラインが、上記垂直信号発生器３の基板上で電気的に接続されている。
【００１１】
すなわち、上記各信号伝送部４，５は、それぞれ複数本の伝送ラインを複数の伝送ブロック４Ａ，４Ｂ，５Ａ，５Ｂ，５Ｃ毎にまとめられ、伝送ブロックが異なりかつ隣接する伝送ラインの間にダミーとなる伝送ラインが上記隣接する伝送ラインを含むいずれか一方の伝送ブロックに設けられ、上記隣接する伝送ラインを含む伝送ブロックの他方の伝送ブロック内で上記ダミーの伝送ラインと最も近い伝送ラインを、当該伝送部の外部で上記ダミーの伝送ラインと電気的に接続されている。
【００１２】
ここで、例えば図２に信号伝送部４の拡大図を示すように、伝送ライン４１と伝送ライン４３は、上記映像表示部１上で隣接しているが、上記伝送ライン４１が入っている伝送ブロックと上記伝送ライン４３が入っている伝送ブロックとは異なっている。伝送ライン４２は、上記映像表示部１で使用されないダミーの伝送ラインであり、上記信号伝送部４の外部で上記伝送ライン４１と電気的に接続されている。そして、上記信号伝送部４に設けられたダミーの伝送ライン４２と正規の伝送ライン４３の距離は、上記伝送ライン４１や伝送ライン４３が設置されている各伝送ブロックの伝送ライン間隔と同一にしてある。
【００１３】
このようにすることにより、上記伝送ライン４１と伝送ライン４３との間に生じる容量値は、各伝送ブロックの伝送ライン間に生じる容量値と同一になる。
【００１４】
従って、この映像表示装置では、それぞれ複数本の伝送ラインを複数の伝送ブロック毎にまとめられた信号伝送部４，５の各伝送ライン間の容量値を均一にできるので、画像に縦方向あるいは横方向のノイズが現れることなく、高画質の画像を表示することができる。しかも、上記信号伝送部４，５は、複数の伝送ブロックに分割されているので、伝送ブロック毎に製造することができ、製造歩留まりをあげることができる。
【００１５】
【発明の効果】
本発明に係る映像装置では、等間隔で並列に並べられた複数本の伝送ラインを複数の伝送ブロック毎にまとめられ、伝送ブロックが異なりかつ隣接する伝送ラインの間にダミーとなる伝送ラインが上記隣接する伝送ラインを含むいずれか一方の伝送ブロックに設けられ、上記隣接する伝送ラインを含む伝送ブロックの他方の伝送ブロック内で上記ダミーの伝送ラインと最も近い伝送ラインを、当該伝送部の外部で上記ダミーの伝送ラインと電気的に接続されている信号伝送部により、映像表示部の独立した各画素あるいはライン毎に並列に信号を伝送するようにしたので、各伝送ライン間の容量値を均一にでき、画像に縦方向あるいは横方向のノイズが現れることなく、高画質の画像を表示することができる。しかも、上記信号伝送部は、複数の伝送ブロックに分割されているので、伝送ブロック毎に製造することができ、製造歩留まりをあげることができる。
【図面の簡単な説明】
【図１】本発明に係る映像表示装置の構成を示すブロック図である。
【図２】上記映像表示装置の要部拡大図である。
【図３】従来の映像表示装置の構成を示すブロック図である。
【図４】従来の映像表示装置の他の構成を示すブロック図である。
【符号の説明】
１  映像表示部１、２  水平信号発生器、３  垂直信号発生器、４，５  信号伝送部、４Ａ，４Ｂ，５Ａ，５Ｂ，５Ｃ，４１  伝送ブロック、４３  伝送ライン、４２  ダミーの伝送ライン
【図１】
0003648838.tif 000002
【図２】
0003648838.tif 000003
【図３】
0003648838.tif 000004
【図４】
0003648838.tif 000005